(57)【要約】【課題】  大画面のディスプレイは、コンピュータショーのデモ画面や駅の広告表示板としての利用を行う場合など、多くの人が同時に見えるということで、有効な表示装置であるが、従来は、画面操作者は同時にはただ一人であった。デモ画面や広告表示板としての使用時などでは、せっかく多くの聴衆を集めて表示しても、その表示を見た聴衆の反応を収集できなかった。【解決手段】  大画面ディスプレイに、タッチパネルを設置し、タッチパネル上に複数のウィンドウ・切替えボタンを設置する。各々の利用者がウィンドウ・切替えボタンをタッチすると、該ウィンドウ・切替えボタンに所定の領域に子ウィンドウが生成され表示される。子ウィンドウには、大画面ディスプレイのメインウィンドウが縮小表示され、各利用者は縮小表示されたメインウィンドウにタッチ入力が可能となり、大画面ディスプレイで情報を提供しつつ、視聴者からのアクセスを受け付けることができる。【選択図】図１
2006018348.tif 000002
【特許請求の範囲】
【請求項１】
コンピュータシステムを用いた、大画面ディスプレイ用入力・表示システムであって、以下の構成要素を含む
（１）タッチパネル付き大画面ディスプレイは、ＰＣなど本来小型ディスプレイに表示することができるプロセッサに接続され、小型ディスプレイに表示されるものと、同一内容を標準状態で表示する手段。
（２）タッチパネル大画面ディスプレイは、大きさ、形に所定の制限範囲内で、自由な大きさ、形をとることができる複数の子ウィンドウから構成し、タッチパネル付き大画面ディスプレイ（以下、メインウィンドウ）には、少なくとも一つの子ウィンドウを表示する手段。
（３）タッチパネル付き大画面ディスプレイには、タッチパネル技術に精通したものには知られるような複数個所でのタッチ操作を同時認識可能なタッチパネル、が装着されているものとし、各子ウィンドウには、子ウィンドウが、表示画面に占有する領域とおなじ領域のタッチパネル入力領域を割り当てる手段。
（４）大画面ディスプレイ上には、一つ以上のウィンドウ・切替えボタンを準備する。ウィンドウ・切替えボタンは、そのボタンを押すたびに、当業者には知られたマルチ・ウィンドウ技術により、そのボタンに対応した所定領域に子ウィンドウを生成したり、消滅したりすることを繰り返す手段。
（５）新たに生成する子ウィンドウには、メインウィンドウの表示が縮小表示される。子ウィンドウに割り当てられたタッチパネル入力領域からの操作に応じて、一般に流通しているマルチ・ウィンドウ技術を使用し、子ウィンドウの表示を変化させる手段。
（６）前記（１）記載のプロセッサには、子ウィンドウに関する処理を行う子ウィンドウ処理部、があり、プロセッサは、当業者には明らかな、マルチスレッド、マルチプロセス等という、並列処理技術およびマルチ・ウィンドウ技術を使用することで、複数の子ウィンドウを生成し、表示画面に表示する手段。
【請求項２】
コンピュータシステムを用いた、大画面ディスプレイ用入力・表示方法であって、以下の構成要素を含む
（１）タッチパネル付き大画面ディスプレイは、ＰＣなど本来小型ディスプレイに表示することができるプロセッサに接続され、小型ディスプレイに表示されるものと、同一内容を標準状態で表示するし、
（２）タッチパネル大画面ディスプレイは、大きさ、形に所定の制限範囲内で、自由な大きさ、形をとることができる複数の子ウィンドウから構成し、タッチパネル付き大画面ディスプレイ（以下、メインウィンドウ）には、少なくとも一つの子ウィンドウを表示し、
（３）タッチパネル付き大画面ディスプレイには、タッチパネル技術に精通したものには知られるような複数個所でのタッチ操作を同時認識可能なタッチパネル、が装着されているものとし、各子ウィンドウには、子ウィンドウが、表示画面に占有する領域とおなじ領域のタッチパネル入力領域を割り当て、
（４）大画面ディスプレイ上には、一つ以上のウィンドウ・切替えボタンを準備する。ウィンドウ・切替えボタンは、そのボタンを押すたびに、当業者には知られたマルチ・ウィンドウ技術により、そのボタンに対応した所定領域に子ウィンドウを生成したり、消滅したりすることを繰り返し、
（５）新たに生成する子ウィンドウには、メインウィンドウの表示が縮小表示される。子ウィンドウに割り当てられたタッチパネル入力領域からの操作に応じて、一般に流通しているマルチ・ウィンドウ技術を使用し、子ウィンドウの表示を変化させ、
（６）前記（１）記載のプロセッサには、子ウィンドウに関する処理を行う子ウィンドウ処理部、があり、プロセッサは、当業者には明らかな、マルチスレッド、マルチプロセス等という、並列処理技術およびマルチ・ウィンドウ技術を使用することで、複数の子ウィンドウを生成し、表示画面に表示する。
【発明の詳細な説明】
【技術分野】
【０００１】
本発明は大画面ディスプレイの、データ処理システム内のグラフィカル・ユーザ・インタフェースにかかる、入力・表示システムおよびその方法に関する。
【背景技術】
【０００２】
従来のデータ処理システムのグラフィカル・ユーザ・インタフェースは、マルチ・ウィンドウのシステムを採用して、同時に複数の情報を表示することができたとしても、同時にはただ一人の操作者しかいないことを前提とした表示方式であった（例えば、特許文献１、特許文献２参照）。
【０００３】
つまり、データ処理システム上にある一台のディスプレイ付き端末に対し、複数の利用者がそれぞれに視認、かつ操作可能な表示、入力方式ではなかった。このため、複数の利用者がいる場合は、先に利用を始めた者の利用終了を待つか、代わってもらうかする必要があった。前述の前提は、ディスプレイ端末の表示画面が、１５インチ程度である場合には問題にはならなかった。複数の利用者が同時に使用するほどの広さではないためである。そして前述のディスプレイ端末に使用された表示方式は、改良されないまま、データ処理システム上にある大画面ディスプレイに対しても同様に使用されている。つまり大画面ディスプレイであっても、１５インチ程度のディスプレイ端末と同様に、同時には、ただ一人の操作者しかいないことを前提とした表示、入力方式であった。
【０００４】
【特許文献１】特願平６−２８８３８６号公報
【特許文献２】特願平１−１８２５５７号公報
【発明の開示】
【発明が解決しようとする課題】
【０００５】
大画面のディスプレイは、コンピュータショーのデモ画面や駅の広告表示板としての利用を行う場合など、多くの人が集まるところでは、多くの人が同時に見えるということで、有効な表示装置である。しかし、従来の使われ方は、利用者が一人の表示装置としてだけの表示方式をもつものであったため、大画面ディスプレイに操作を行うためには、大画面ディスプレイと同一画面を併せ持つコンピュータなどを操作し、内容を見ながら、大画面ディスプレイの内容を変更するか、大画面ディスプレイに設置されたタッチパネルから画面を操作することが必要であった。つまり、大画面ディスプレイを操作しようとする際、複数情報を同時に表示可能な、マルチ・ウィンドウ・システムであったとしても、画面操作者は同時にはただ一人であるということを前提としたユーザインタフェースであった。
【０００６】
もちろん、講習会などＰＣを前に置いて、その内容を単に大きく表示して見せながら、話す場合は一人で充分である。しかし、デモ画面や広告表示板としての使用時などでは、せっかく多くの聴衆を集めて表示しておりながら、その表示を見た聴衆の反応を、大画面ディスプレイを使用して、リアルタイムで収集したり、表示に反映したり、表示効果を測定することができなかった。反応を収集する場合には、表示を行う大画面ディスプレイとは別途にアンケート用紙を配布し記入してもらったり、個人用端末を用意し入力してもらったりする必要があった。
【０００７】
この場合は、表示内容を見たその場で記入または入力してもらえない場合があり、印象が薄れて新鮮な意見を取り入れられなかったり、反応量の時間推移などの分析を行うことができなかったり、人気投票など即時的な反応を画面に反映させることができなかった。そこでなんとか多くの人に映像を見せているその場で、別に情報収集の仕組みを用意することなく、表示内容物を直接示している大画面ディスプレイをその場で操作してもらい、反応を得る手段はないか、と考えてみた。
【０００８】
すなわち本発明の目的は、タッチパネルを設置した大型ディスプレイにおいて、複数の利用者が同時に入力操作するための方式として、「利用者の入力に応じ、大型ディスプレイの画面に利用者毎の子ウィンドウを表示し、各利用者の同時利用に応じるもの」を提供することである。
【課題を解決するための手段】
【０００９】
上記課題を解決するには、下記の動作をするコンピュータを用いた「大画面ディスプレイを用いたときの入力・表示システムとその方法」を用いればよい。
【００１０】
（１）タッチパネル付き大画面ディスプレイは、ＰＣなど本来小型ディスプレイに表示することができるプロセッサに接続され、小型ディスプレイに表示されるものと、同一内容を標準状態で表示する。
【００１１】
（２）タッチパネル大画面ディスプレイは、大きさ、形に所定の制限範囲内で、自由な大きさ、形をとることができる複数の子ウィンドウから構成する。タッチパネル付き大画面ディスプレイには、少なくとも一つの子ウィンドウを表示し、この画面を以下メインウィンドウと呼ぶ。
【００１２】
（３）タッチパネル付き大画面ディスプレイには、タッチパネル技術に精通したものには知られるような複数個所でのタッチ操作を同時認識可能なタッチパネル、が装着されているものとし、各子ウィンドウには、子ウィンドウが、表示画面に占有する領域とおなじ領域のタッチパネル入力領域を割り当てる。
【００１３】
（４）大画面ディスプレイ上には、一つ以上のウィンドウ・切替えボタンを準備する。ウィンドウ・切替えボタンは、そのボタンを押すたびに、一般に流通しているマルチ・ウィンドウ技術により、そのボタンに対応した所定領域に子ウィンドウを生成したり、消滅したりすることを繰り返す。
【００１４】
（５）新たに生成する子ウィンドウには、メインウィンドウの表示が縮小表示される。子ウィンドウに割り当てられたタッチパネル入力領域からの操作に応じて、一般に流通しているマルチ・ウィンドウ技術を使用し、子ウィンドウの表示を変化させる。
【００１５】
（６）（１）に登場したプロセッサには、子ウィンドウに関する処理を行う子ウィンドウ処理部、があり、プロセッサは、当業者には明らかな、マルチスレッド、マルチプロセス等という、並列処理技術およびマルチ・ウィンドウ技術を使用することで、複数の子ウィンドウを生成し、表示画面に表示する。
【００１６】
この手段を用いることにより上記課題は以下のように解決される。
【００１７】
大型画面ディスプレイにメイン画面を表示し大勢の聴衆にメイン画面の表示内容を表示する一方で、利用者のウィンドウ・切替えボタンへのタッチ操作に対し、子ウィンドウを生成する。ボタンを押した利用者それぞれに別々の子ウィンドウを生成し表示する。各子ウィンドウがそれぞれ割り当てられたタッチパネル入力領域からの入力に対応し、表示内容を変化させることで、各子ウィンドウは、それぞれが情報端末として機能することとなり、大型画面ディスプレイは複数の利用者が同時に利用することができるようになる。これで上記課題は解決される。
【発明の効果】
【００１８】
本発明の効果を、以下に述べる、情報提供者や広告主、情報提供を行うことで手数料を取得する者、聴衆の三者の視点から述べる。
【００１９】
大画面ディスプレイを、コンピュータショーのデモ画面や、駅等の広告表示板として利用しようとする情報提供側や広告主などの者にとっては、大画面ディスプレイが放映をし、かつ聴衆が見ているその場で、大画面ディスプレイにアクセスに来た聴衆からの操作を受け付けることで、リアルタイムに放映内容に対する反応、意見を取得することができる。また大画面ディスプレイにアクセスしている聴衆からの操作を受け付ける、すなわち聴衆に対し、情報端末を提供することで、聴衆のシステムへの参加が可能となり、双方向性を持つ、新しいデモ画面、広告表示板として、聴衆の興味を引くことも可能となる。
【００２０】
大画面ディスプレイを使用して情報提供をおこない、その手数料などを取得している広告代理店等などの事業者にとっては、聴衆の意見を取得でき操作を受け付ける、新しいデモ機や広告表示板として、使用してもらえるよう、情報提供者や広告主にアピールができる。また聴衆の意見などのデータを集める際には、別の仕組みを用意する負担が軽減されるという改善を得たり、リアルタイム性を生かした新しいサービス、例えばデモ技術詳細情報の即時提供や、物産広告のデータを利用した、駅等での人気物産ランキングの表示など、従来なかったサービスの提供ビジネスにつなげたりすることができるようになる。
【００２１】
聴衆にとっては、提供されている情報にアクセスして、詳細な情報を取得する場合も、アンケート用紙に情報送付先を記入したり、別途用意された情報端末を利用したりすることなく、その場で、デモ内容や広告内容を表示している大画面ディスプレイに直接アクセスでき、大画面の表示内容が変化することで詳細な情報を得ることができる。
【発明を実施するための最良の形態】
【００２２】
以下に、発明の実施の形態を説明する。
＜発明の概要＞
本発明を用いると、大画面ディスプレイをデモ展示会や駅の広告表示板として利用する場合などに、表示内容を見た複数の利用者が、同時に大型ディスプレイに対し入力ができるようになる。
【００２３】
例えば、利用者が画面の下部に配置されたウィンドウ・切替えボタンのうち一つをタッチすると、ウィンドウ・切替えボタンに所定の領域に子ウィンドウが一つ生成表示され、その中にメインウィンドウが縮小表示され、以降利用者の操作に対応して、子ウィンドウ内の表示内容を変更する。これにより、表示された子ウィンドウは、利用者向けの情報端末として利用できるようになる。
【００２４】
この子ウィンドウを生成するウィンドウ・切替えボタンを大画面ディスプレイ上に複数準備することにより、大画面ディスプレイの表示物に対する入力を、同じディスプレイ上で複数同時に行うができるようになる。
【００２５】
＜発明の構成＞
本発明の構成とデータの流れを図１、図２、図３、図４、図５、図６、図７、図８、に示す。各構成要素の内容は以下のとおりである。
【００２６】
（１）図１に示すように、タッチパネル付き大画面ディスプレイ１０は、ＰＣなど本来小型ディスプレイに表示することができるプロセッサ２０に接続され、タッチパネル付き大画面ディスプレイ１０の表示画面１１には、小型ディスプレイに表示されるものと、同一内容を標準状態で表示する。利用者５０、５１、・・・・５ｎは、タッチパネル付き大画面ディスプレイ１０の表示画面１１を視認、またタッチ操作する、一人、または複数人の利用者である。
【００２７】
（２）図２、図３、図４、図５に示すように、表示画面１１は、大きさ、形に所定の制限範囲内で、自由な大きさ、形をとることができる複数の子ウィンドウ３０、３１、３ｎから構成する。表示画面１１には、少なくとも一つの子ウィンドウ３０、３１、３ｎを表示し、この画面を以下メインウィンドウ１２と呼ぶ。
【００２８】
（３）タッチパネル付き大画面ディスプレイ１０には、タッチパネル技術に精通したものには知られるような複数個所でのタッチ操作を同時認識可能なタッチパネル（図示せず）、が装着されており、各子ウィンドウ３０、３１、３ｎには、子ウィンドウ３０、３１、３ｎが、表示画面１１に占有する領域にタッチパネル入力領域（図示せず）を割り当てる。
【００２９】
（４）図２、図３、図４、図５に示すように、表示画面１１上には、一つ以上のウィンドウ・切替えボタン４０、４１、４ｎを準備する。ウィンドウ・切替えボタン４０、４１、４ｎは、そのボタンを押すたびに、一般に流通しているマルチ・ウィンドウ技術により、そのボタンに対応した所定領域に、図３に表される、子ウィンドウ３０、３１、３ｎを生成したり、消滅したりすることを繰り返す。
【００３０】
（５）図４、図５に示すように、新たに生成する子ウィンドウ３０、３１、３ｎには、メインウィンドウ１２の表示が縮小表示される。子ウィンドウ１３に割り当てられたタッチパネル入力領域からの操作に応じて、一般に流通しているマルチ・ウィンドウ技術を使用し、子ウィンドウ３０、３１、３ｎの表示を変化させる。
【００３１】
（６）図１、図６に示す、プロセッサ２０には、子ウィンドウ３０、３１、３ｎに関する処理を行う子ウィンドウ処理部２１、がある。プロセッサ２０は、当業者には明らかな、マルチスレッド、マルチプロセス等という、並列処理技術、およびマルチ・ウィンドウ技術を使用することで、複数の子ウィンドウ３０、３１、３ｎを生成し、表示画面１１に表示する。また図７，８のフローチャートに示される処理を、一般に流通している、マルチスレッド、マルチプロセス等という並列処理技術、およびマルチウィンドウ技術を用いて実施するように、適切にプログラムされる。
【００３２】
＜発明の動作＞
課題を解決するための手段について、その動作を以下に、図７，８のフローチャートを用いて説明する。
【００３３】
（１）図７のフローチャートでは、子ウィンドウ処理部２１は、ブロック１０１から動作を開始する。子ウィンドウ処理部２１（以下、処理、と呼ぶ）は、ブロック１０１で、図２、図３、図４に示される表示画面１１に、メインウィンドウ１２と、一つ以上の、ウィンドウ・切替えボタン４０、４１、４ｎを表示する。メインウィンドウ１２には、本来小型ディスプレイに表示することが可能なプロセッサ２０から、小型ディスプレイに表示されるものと、同一内容を標準状態で表示する。
【００３４】
（２）次に処理は、ブロック１０２で、利用者５０が子ウィンドウ３０の起動を望むかどうかを判断する。処理は、利用者５０が子ウィンドウの起動を望まない場合、利用者５０が起動を望むまで、ブロック１０２を繰り返す。利用者５０が起動を望むと、ブロック１０３に示される利用者５０の、ウィンドウ・切替えボタン４０へのタッチ入力を受け付け、ブロック１０４に移行する。
【００３５】
（３）次に処理は、ブロック１０４で、一般に流通しているマルチ・ウィンドウ技術を使用し、新しい子ウィンドウ３０の生成を行い、図３に示されるように子ウィンドウ３０の表示を行う。
【００３６】
（４）次に処理は、ブロック１０５で、図４に示されるようにメインウィンドウ１２を、子ウィンドウ３０に、縮小表示する。すなわち、子ウィンドウ３０には、メインウィンドウ１２、およびプロセッサ２０が、本来小型ディスプレイに表示する内容が、また入力用のアイコン等の表示物を含めて、表示されることになる。これにより、処理は、子ウィンドウ３０を、利用者５０に対して、情報端末のごとく提供し、利用者５０からのタッチ入力を受け付けるようになる。
【００３７】
（５）次に処理は、ブロック１０６で、利用者５０が子ウィンドウ３０の操作を望むかどうかを判断する。利用者５０が子ウィンドウ３０の操作を望まない場合、処理は、ブロック１０９で、利用者５０のウィンドウ・切替えボタン４０へのタッチを受付け、ブロック１１０にて、子ウィンドウ３０を消滅させる。その後、処理は、再び利用者５０が子ウィンドウ３０の起動を望むまで、ブロック１０２を繰り返す。
【００３８】
（６）ブロック１０６で、利用者５０が子ウィンドウ３０の利用を望む場合は、処理は、図７のブロック１２０から、（図接続記号Ａを介して）図８のブロック１２０に移行し、ついで、ブロック１２１に移行する。
【００３９】
（７）処理は、ブロック１２１で、利用者５０が、子ウィンドウ３０に割り当てられたタッチパネル領域からタッチ入力した情報を受け付ける。
【００４０】
（８）次に処理は、ブロック１２２で、本来小型ディスプレイに表示することが可能なプロセッサ２０が、利用者５０のブロック１２１でのタッチ入力操作に対応して、メインウィンドウ１２、および本来小型ディスプレイに表示した内容に起こるであろう変化と同一の変化を、子ウィンドウ３０に表示する。
【００４１】
（９）次に処理は、ブロック１２３では、利用者５０が子ウィンドウ３０の操作を望むかどうかを判断する。利用者５０が子ウィンドウ３０の操作を望まない場合、処理は、図８のブロック１３０から、（図接続記号Ｂを介して）図７のブロック１３０に移行し、ブロック１０９に移行する。処理は、利用者５０の、ウィンドウ・切替えボタン４０にタッチ操作を受け付け、ブロック１１０にて、子ウィンドウ３０を消滅させる。その後、処理は、１０２にて利用者５０、５１、５ｎが子ウィンドウ３０、３１、３ｎの起動を望むまで、ブロック１０２を繰り返す。  （１０）ブロック１２３で、利用者５０が、子ウィンドウ３０の操作を望む場合は、処理は、ブロック１２１に移行し、利用者５０の子ウィンドウ３０のタッチパネル領域へのタッチ入力を受け付ける。
【００４２】
（１１）処理は、複数の利用者５０、５１、…５ｎからの、大画面ディスプレイ１０に複数設置されたウィンドウ切替えボタン４０、４１、４ｎへのタッチ入力を受け付ける度に、一般に流通しているマルチスレッドやマルチタスク、並列処理技術により、プロセッサ２０内に、あらたな処理を、並列処理として準備する。準備された各処理は、それぞれが（１）より（９）に述べた一連の動作により、子ウィンドウ３０、３１、３ｎ生成を行い、複数の利用者５０、５１、５ｎのタッチパネル入力操作を受け付け、その入力に対し、各子ウィンドウの表示を変更させる。
以上により、タッチパネル付き大画面ディスプレイを、複数の利用者に同時に利用させることができる。
【図面の簡単な説明】
【００４３】
【図１】タッチパネル付き大画面ディスプレイとプロセッサをあらわす図である。
【図２】メインウィンドウと、ウィンドウ・切替えボタンをあらわす図である。
【図３】図２で、ウィンドウ・切替えボタンのタッチにより、子ウィンドウが表示されたことをあらわす図である。
【図４】図３で、表示された子ウィンドウにメインウィンドウが縮小表示されたことをあらわす図である。
【図５】表示画面に、複数の子ウィンドウが表示されている状況を表す図である。
【図６】プロセッサにおける処理の構成要素を表す図である。
【図７】本発明のフローチャートである。
【図８】本発明のフローチャートである。
【符号の説明】
【００４４】
１０…タッチパネル付き大画面ディスプレイ
１１…表示画面
１２…メインウィンドウ
２０…プロセッサ
２１…子ウィンドウ・処理部
３０、３１、３ｎ…子ウィンドウ（但し“ｎ”は“子ウィンドウ”が複数であることを示すための表現である。）
４０、４１、４ｎ…ウィンドウ・切替えボタン（但し“ｎ”は“ウィンドウ・切替えボタン”が複数であることを示すための表現である。）
５０、５１、５ｎ…利用者（但し“ｎ”は“利用者”が複数であることを示すための表現である。）
【図１】
2006018348.tif 000003
【図２】
2006018348.tif 000004
【図３】
2006018348.tif 000005
【図４】
2006018348.tif 000006
【図５】
2006018348.tif 000007
【図６】
2006018348.tif 000008
【図７】
2006018348.tif 000009
【図８】
2006018348.tif 000010